(57)【要約】【課題】  ボタン押下式の防犯サムターンにおいて、ボタンが押下状態に保持されることのない防犯サムターンを提供し、サムターン回しに対する防犯性を向上させる。【解決手段】  押下によって回転規制を解除するボタンが摘み４１に設けられた防犯サムターン１００であって、ボタン８２，８４は一対で構成されており、摘み４１の回転中心を挟んで配置され、摘み４１の解錠方向のモーメントと逆方向の押下力が必要となるように、両ボタン８２，８４の各押下突起６４，６４を摘み４１の回動中心に対して偏芯して配置させた。【選択図】      図１
2006144486.tif 000002
【特許請求の範囲】
【請求項１】
押下によって回転規制を解除するボタンが摘みに設けられた防犯サムターンであって、
前記摘みの解錠方向のモーメントと逆方向の押下力が必要となるように、前記ボタンの押下突起が回動中心に対して偏芯して配置されたことを特徴とする防犯サムターン。
【請求項２】
前記摘みの回転中心を挟んで一対の前記ボタンが設けられたことを特徴とする請求項１記載の防犯サムターン。
【請求項３】
前記一対のボタンが同時に押下されることで、前記回転規制が解除されることを特徴とする請求項２記載の防犯サムターン。
【発明の詳細な説明】
【技術分野】
【０００１】
本発明は、扉の屋内面に突出させた摘みの回転を規制することで、錠箱に対する不正な解錠操作力の入力を阻止する防犯サムターンに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【０００４】
ところが、近年、ポスト口や、機械工具によって開けた小さな穴から棒や針金等を挿入し、回転操作の容易なサムターンに係止して回転させ、施錠装置を解錠する不正解錠が増えている。
【０００５】
このようなサムターンに針金等を係止して回転させることを防止するものに例えばボタン押下式防犯サムターンがある。このボタン押下式防犯サムターンは、扁平な摘みに押下自在なボタンが突設され、このボタンが押下されることで、摘みの回動規制が解除され、錠箱の施解錠機構に対する施解錠操作力の入力が可能となる。したがって、摘みを回すためにはボタンを押下しながら回転操作しなければならず、針金や棒等の不正治具を扉屋内側へ挿入することによる不正解錠（所謂サムターン回し）を行い難くして、防犯性を向上させることができた。
【特許文献１】特公平２−１５７１５号公報  （第１図ｂ，第１図ｃ）
【発明の開示】
【発明が解決しようとする課題】
【０００６】
しかしながら、上記した従来のボタン押下式防犯サムターンは、ボタンを押し込むと同時に、サムターンに回動力を加えると、内部機構の遊びなどで、ボタンが押下状態のままとなることがある。これは所謂ピッキングが行われる際の現象と同様のものである。そのため、このような現象が生じ得ることを見込まれて、仮に表裏２つのボタンが設けられたボタン押下式防犯サムターンであっても、例えば一方の面のボタンを棒などにより押下し、同時にサムターンに回動力を加えることにより一方のボタンを押下状態のままに保持させ、次いで他方の面のボタンを棒などによって押下しながらサムターンに回転力を加えることで、サムターンが不正に解錠操作されてしまうことが危惧された。
【０００７】
本発明は上記状況に鑑みてなされたもので、ボタン押下式防犯サムターンにおいて、ボタンが押下状態に保持されることのない防犯サムターンを提供し、もって、サムターン回しに対する一層の防犯性向上を図ることを目的とする
【課題を解決するための手段】
【０００８】
次に、上記の課題を解決するための手段を、実施の形態に対応する図面を参照して説明する。
本発明の請求項１記載の防犯サムターン１００は、押下によって回転規制を解除するボタン６３，６５が摘み４１に設けられた防犯サムターン１００であって、
前記摘み４１の解錠方向のモーメント１０１と逆方向の押下力１０３が必要となるように、前記ボタン６３，６５の押下突起６４が回動中心１１１に対して偏芯して配置されたことを特徴とする。
【０００９】
この防犯サムターン１００では、ボタン６３，６５を押し込む方向と、摘み４１を回転させる方向とが逆方向、例えば回動中心１１１を挟み逆方向となり、ピッキングなど行われているボタン６３，６５を押し込むと同時に、摘み４１に回動力を加え、ボタン６３，６５を押下状態のままに保持することができなくなる。
【００１０】
請求項２記載の防犯サムターン１００は、前記摘み４１の回転中心１１１を挟んで一対の前記ボタン６３，６５が設けられたことを特徴とする。
【００１１】
この防犯サムターン１００では、解錠方向のモーメント１０１と逆方向の押下力１０３が必要となるボタン６３，６５が２つとなり、ボタン６３，６５の押下状態での保持がさらに困難となる。
【００１２】
請求項３記載の防犯サムターン１００は、前記一対のボタン６３，６５が同時に押下されることで、前記回転規制が解除されることを特徴とする。
【００１３】
この防犯サムターン１００では、解錠方向のモーメント１０１と逆方向の押下力１０３を同時に二方向から摘みに加えなければならなくなる。
【発明の効果】
【００１４】
本発明に係る請求項１記載の防犯サムターンによれば、押下によって回転規制を解除するボタンが摘みに設けられた防犯サムターンにおいて、摘みの解錠方向のモーメントと逆方向の押下力が必要となるように、ボタンの押下突起を回動中心に対して偏芯して配置したので、ボタンを押し込むと同時に、摘みに回動力を加え、内部機構の遊びなどで、ボタンを押下状態のままとして、摘みに回転力を加えることで、摘みを解錠操作する不正行為を阻止することができる。この結果、ボタン押下式防犯サムターンの防犯性を一層向上させることができる。
【００１５】
請求項２記載の防犯サムターンによれば、摘みの回転中心を挟んで一対のボタンを設けたので、解錠方向のモーメントと逆方向の押下力が必要となるボタンが２つとなり、ボタンを押下状態に保持することがさらに困難となり、ボタン押下式防犯サムターンの防犯性を一層向上させることができる。
【００１６】
請求項３記載の防犯サムターンによれば、一対のボタンが同時に押下されることで、回転規制が解除されるようにしたので、解錠方向のモーメントと逆方向の押下力を同時に二方向から摘みに加えなければならなくなり、棒や針金などを用いたボタンの不正押下を極めて困難にすることができる。
【発明を実施するための最良の形態】
【００１７】
以下、本発明に係る防犯サムターンの好適な実施の形態を図面を参照して詳細に説明する。
図１は錠箱に取り付けられた本発明に係る防犯サムターンの斜視図、図２は本発明に係る防犯サムターンの縦断面図、図３は本発明に係る防犯サムターンの水平断面図、図４は図２に示した防犯サムターンの分解図、図５は図３に示した摘みの正面図、図６は図５に示した摘みの分解斜視図、図７は図６に示した摘みのボタンユニットをさらに分解した斜視図である。
【００１８】
本実施の形態による防犯サムターン１００が取付けられる図示しない扉には、図１に示す錠箱１が設けられる。錠箱１は、ラッチボルト、デッドボルト３、及びこれらを扉の木口に設けられる化粧プレート５から進退させる図示しない錠箱機構部を内設している。錠箱１のデッドボルト３は、扉の屋外側の面に設けたシリンダー錠を合鍵（キー）によって、又は扉の屋内側の面に設けられたサムターン摘み（以下、単に「摘み」と称す）を回動することによって扉の木口から進退可能となっている。防犯サムターン１００は、以下の構成によって、摘み操作を有効又は不能にするよう作動される。
【００１９】
扉又は錠箱１には図２に示す固定筒２１が固定される。固定筒２１の軸線方向一端側の外周には一対の固定部２３，２３が突設され、固定部２３，２３は固定穴２５を有している。固定筒２１は、扉内に設けられた錠箱１にこの固定穴２５を介して固定される。
【００２０】
固定筒２１の先端にはスペーサリング２６が外挿される。スペーサリング２６の外周には中央穴２７を有した飾り筒２９が被せられて固定される。この飾り筒２９の外周側先端部には、先端が平坦な円錐形状の化粧リング３１が外装される。化粧リング３１は、後端の折り曲げ部３１ａと、飾り筒２９の後端面との間に配設されたバネ３３の付勢力によって後端が扉の屋内面Ｄｓに押付けられる。
【００２１】
固定筒２１の内部にはコア軸３５が回転自在に内設され、コア軸３５は後部が錠箱１からの図示しない入出力軸に連結されている。コア軸３５は、錠箱側に押さえリング３６が挟入され、この押さえリング３６が、固定筒２１の内周に形成された周溝２１ａに係止する固定リング３７によって固定筒２１からの脱落が防止される。コア軸３５は、先端面に突起板３９を突設している。従って、錠箱１の図示しない入出力軸が回転されれば、突起板３９が回転される。
【００２２】
固定筒２１の後端側内部には、サムターン筒４３が回転自在に内設される。また、固定筒２１の先端側内部には、摘み４１の取り付けられる摘み杆３８が回転自在に内設される。摘み杆３８は、サムターン筒４３に所定の遊び角を許容して連動回転する。この摘み杆３８の外周には直径方向両端で一対のストッパー退避凹部３８ａが形成され、ストッパー退避凹部３８ａは後述するストッパーを進入させて、ストッパーの係合を解除する方向の移動を可能にする。
【００２３】
摘み４１は、輪郭形状が例えば図３に示すような半円形状の曲線となるような板状で形成されている。これにより、針金を摘み４１に引っ掛けようとしたり、棒を当てて押し回ししようとしても、角部がないため針金や棒が滑り易く、これら不正な回転操作力が印加され難くなっている。また、角部がなくなることで、手指によるフィット感も良好となる。
【００２４】
摘み４１は、図４に示すように、上ケース４２，下ケース４４を嵌め合わせ、摘み杆３８の一対の固定杆４６，４６にそれぞれ形成された雌ねじ４８，４８にねじ５０，５０を螺合して固定される。上ケース４２後部左右端部には係止部５２，５２（図３参照）が形成される。嵌めあわされた上ケース４２と下ケース４４の外周には図５，図６に示すＵ字状のねじカバー兼回転方向視認手段５４が装着される。ねじカバー兼回転方向視認手段５４は、両端の係止爪５４ａ，５４ａを係止部５２，５２に係止して装着される。摘み杆３８に取り付けられた摘み４１は、板状となって飾り筒２９の中央穴２７から屋内側へ突出される。これにより、摘み４１は、水平・垂直方向に回転された姿勢が把握し易くなっている。
【００２５】
サムターン筒４３の後部は筒状部４５となり、筒状部４５には直径方向の両端に開口する切欠４７（図４参照）が形成されている。筒状部４５の後端面からは後述の挟持板を支持する一対の軸４５ａ，４５ａが錠箱１へ向かって突設されている。この筒状部４５の内部には、筒状部４５の軸線直交方向で摺動自在となる一対のストッパー４９，５１が内設されている。ストッパー４９には図４に示す脚部係合部４９ａと、解除面４９ｂが形成されている。また、ストッパー５１には脚部係合部５１ａと、解除面５１ｂが形成されている。さらに、ストッパー４９，５１には、サムターン筒４３の半径方向外側に位置する係合部４９ｃ，５１ｃが設けられ、この係合部４９ｃ，５１ｃは上記のストッパー退避凹部３８ａ，３８ａに進入可能となっている。
【００２６】
一対のストッパー４９，５１は、後述のボタンに設けられた脚部が脚部係合部４９ａ，５１ａに係合されることで、筒状部４５の半径方向外側へ摺動され、切欠４７から突出し、固定筒２１に形成された係合溝５５に係合するようになっている。ストッパー４９，５１が係合溝５５に係合することで、サムターン筒４３の回動は不能となる。また、ストッパー４９，５１は、半径方向内側へ摺動されることで、係合部４９ｃ，５１ｃが係合溝５５から抜け、ストッパー退避凹部３８ａに進入することで、係合が解除されるようになっている。
【００２７】
摘み４１の内部には図６に示すボタンユニット５７が設けられる。ボタンユニット５７は、図７に示すように、一対のボタン６３，６５と、支持プレート５６と、ボタン６３，６５を支持プレート５６に回動自在に支持する支持ピン５８，５８とからなる。ボタン６３，６５は、サムターン筒４３の回転軸に直交方向に延在する略角柱状に形成され、延在方向に沿った溝６０を有し、この溝６０を支持プレート５６に挿入しかつ支持ピン５８，５８を支持プレート５６の支持穴６２，６２に挿入することで組み立てられる。
【００２８】
上ケース４２、下ケース４４には矩形状のボタン収容穴５９が穿設され、このボタン収容穴５９からはボタン６３，６５の一部分が露出される。ボタン収容穴５９から露出されるボタン６３，６５は、長手方向一端側に押下突起６４が配設されている。ボタン６３，６５は、この押下突起６４が押下されることにより、支持ピン５８，５８を中心に揺動される。ここで、押下突起６４は、上部のボタン６３と、下部のボタン６５とで、長手方向逆側に配設される。つまり、偏芯して（図５に示すように正面から見て対称配置となるように互い違いとなって）配置されている。
【００２９】
ボタン６３，６５の長手方向略中央部には押圧突起６８，６８が突設され、ボタン６３，６５の双方の押圧突起６８，６８は対面している。支持プレート５６の中央部には矩形穴７０が穿設され、この矩形穴７０にはボタン６３，６５の押圧突起６８，６８が図７の上下方向から突出される。ボタンユニット５７は、支持プレート５６の固定穴７２に固定ねじ７６が挿通され、この固定ねじ７６が固定杆４６，４６の先端面に設けられた雌ねじ７８に螺合されることで摘み杆３８に固定される。
【００３０】
摘み杆３８の固定杆４６，４６の間には、一対のレバー８２，８４が、固定杆４６，４６に挿通される軸８６を介して揺動自在に挟入されている。レバー８２，８４は、支持プレート５６の矩形穴７０を貫通して端部が突出され、この端部同士の間にはボタン付勢バネ６６が挟入されている。
【００３１】
レバー８２，８４は、錠箱１の方向へ向かって突出する脚部６３ａ，６５ａを有している。この脚部６３ａ，６５ａは、上記したストッパー４９，５１の脚部係合部４９ａ，５１ａへと係合される。
【００３２】
図５に示すように、矩形穴７０から突出されたレバー８２，８４は、ボタン付勢バネ６６によって端部が離反方向へ付勢され、ボタン６３，６５の押圧突起６８，６８を押圧する。これにより、ボタン６３，６５の押下突起６４は、上ケース４２、下ケース４４から突出される。また、レバー８２，８４は、ボタン付勢バネ６６によって端部が離反方向へ配置されることで、脚部６３ａ，６５ａが水平に並ぶようになっている。そして、この脚部６３ａ，６５ａを脚部係合部４９ａ，５１ａに係合させた一対のストッパー４９，５１は、脚部６３ａ，６５ａがこのように水平配置されることで図２に示すように、筒状部４５から突出して係合溝５５に係合する。
【００３３】
一方、ボタン６３，６５が、ボタン付勢バネ６６の付勢力に抗して接近方向へ押し込まれると、レバー８２，８４が押圧突起６８，６８によって挟持され、脚部６３ａ，６５ａが開く。これにより、一対のストッパー４９，５１を、筒状部４５の半径方向内側へ摺動させて、係合溝５５との係合を解除させるよう作動する。
【００３４】
摘み４１に内蔵されるボタンユニット５７は、表裏面が同一に形成され、図６に示す矢印方向に回転して上下反転（或いは左右反転）させることで、押下突起６４を左右逆側に配置して使用できるようになっている。つまり、この防犯サムターンを扉の左右勝手に対応させることができるようになっている。
【００３５】
固定筒２１の内部には、サムターン筒４３の軸線直交方向で摺動自在な一対の解除交差部材６７，６９が内設されている。解除交差部材６７は、図４に示すように、縦軸６７ａの上端で摘み４１側へ向かって突出する一端部としてのストッパー挟持片６７ｂと、縦軸６７ａの下端で錠箱側へ向かって突出する他端部としての離間片６７ｃとを有している。また、解除交差部材６９は、縦軸６９ａの下端で摘み４１側へ向かって突出する一端部としてのストッパー挟持片６９ｂと、縦軸６７ａの上端で錠箱側へ向かって突出する他端部としての離間片６９ｃとを有している。
【００３６】
解除交差部材６７，６９は、ストッパー挟持片６７ｂ，６９ｂの間に挟入された圧縮バネ７１によって、離間されたストッパー挟持片６７ｂ，６９ｂ同士の間隙で、一対のストッパー４９，５１を挟むとともに、離間片６７ｃ，６９ｃ同士が接近方向に配置される。この離間片６７ｃ，６９ｃ同士の間には、後述の挟持板が配置される。
【００３７】
サムターン筒４３の軸４５ａ，４５ａには、二対の挟持板７３ａ，７３ｂ，７５ａ，７５ｂが揺動自在に支持されている。挟持板７３ａ，７３ｂ，７５ａ，７５ｂは、上記したコア軸３５の突起板３９を軸線直交方向の両側から挟持する。例えば挟持板７３ａ，７３ｂが右側から、挟持板７５ａ，７５ｂが左側からの如くである。突起板３９を挟持した挟持板７３ａ，７３ｂ，７５ａ，７５ｂは、シリンダー錠が合鍵によって回転され、これに伴ってコア軸３５が回転されることで、この突起板３９によって開脚される。挟持板７３ａ，７３ｂ，７５ａ，７５ｂは、この開脚動作によって、一対の解除交差部材６７，６９の他端部同士である離間片６７ｃ，６９ｃ同士を離反方向に移動して、一端部同士であるストッパー挟持片６７ｂ，６９ｂ同士で、一対のストッパー４９，５１を係合解除方向に摺動させる。
【００３８】
次に、上記の構成を有する防犯サムターン１００の作用を説明する。
図８は摘みの解錠操作時における動作説明図、図９は図８に示した摘みと左右勝手が逆の摘みの解錠操作時における動作説明図、図１０は図２のＡ−Ａ断面における施錠状態を（ａ）、シリンダー錠回転状態を（ｂ）に表した動作説明図、図１１は図２のＢ−Ｂ断面における施錠状態を（ａ）、シリンダー錠回転状態を（ｂ）に表した動作説明図、図１２は図２のＢ−Ｂ断面における施錠状態を（ａ）、ボタン押し込み状態を（ｂ）に表した動作説明図、図１３は図２のＣ−Ｃ断面における施錠状態を（ａ）、ボタンを押し込まずに摘みを回転させた状態を（ｂ）に表した動作説明図である。
【００３９】
防犯サムターン１００は、施錠状態において、摘み４１が水平方向に位置し、サムターン筒４３に内設されたストッパー４９，５１がボタン付勢バネ６６の付勢力により切欠４７から突出して図１１（ａ）、図１２（ａ）に示すように係合溝５５に係合している。
防犯サムターン１００の施錠状態を解除するには、摘み４１から突出している表裏面のボタン６３，６５を押下する。
ボタン６３，６５が押し込められると、脚部６３ａ，６５ａが水平に並んだ状態から開脚される。これにより、図１２（ｂ）に示すように、一対のストッパー４９，５１は、筒状部４５の半径方向内側へと摺動され、係合溝５５から抜脱される。その結果、ストッパー４９，５１と係合溝５５との係合が解除され、サムターン筒４３は回転が可能となって、摘み４１が垂直方向へと回転される。
【００４０】
この際、図８に示すように、ボタン６３，６５は、回転操作に必要なモーメント１０１の方向と逆方向の押下力１０３で押下突起６４を押下しなければならない。すなわち、解錠方向のモーメント１０１と逆方向の押下力１０３が必要となるように、ボタン６３，６５の押圧突起６８，６８が回転中心１１１（図６参照）を挟んで偏芯して配置されている。なお、通常の正しい解錠操作においては、摘み４１への手指による摘む動作で、両ボタン６３，６５が押下状態となり、従来同様の摘み４１への回転操作を行うことで解錠が行える。
【００４１】
これにより、ボタン６３，６５を押し込むと同時に、サムターンに回動力を加え、内部機構の遊びなどで、ボタン６３，６５を押下状態のままとすることが不可能となる。したがって、従来行われる虞のあった、例えば一方の面のボタン６３を棒などにより押下し、同時に摘み４１に回動力を加えることにより一方のボタン６３を押下状態のままに保持させ、次いで他方の面のボタン６５を棒などによって押下しながら摘み４１に回転力を加えることで、摘み４１を解錠操作する不正行為を阻止することができる。
【００４２】
なお、防犯サムターン１００は、扉の吊り元が左右逆となり、本実施の形態とは左右勝手が異なる場合には、上記したようにボタンユニット５７が上下反転されて使用される。その場合には、図９に示すように、回転操作に必要なモーメント１０５の方向と逆方向の押下力１０７で押下突起６４が押下されることとなる。
【００４３】
摘み４１は、水平姿勢から回転された垂直位置では、図３に示すように固定筒２１の内周に係合溝５５が形成されていないため、ストッパー４９，５１は筒状部４５内に後退したままの状態となる。従って、ボタン６３，６５は、押下された状態のままに保持されることになる。
【００４４】
一方、解錠状態から施錠状態にするには、ボタン６３，６５の操作に関わらず、単に摘み４１を水平状態となるまで回転操作すればよい。すなわち、垂直状態から水平状態へと摘み４１が回転されれば、その回転力がサムターン筒４３、解除交差部材６７，６９、挟持板７３ａ，７３ｂ，７５ａ，７５ｂを介してコア軸３５へ伝達されるとともに、ストッパー４９，５１が係合溝５５に一致し、ボタン付勢バネ６６の付勢力により係合溝５５に進入し、再び図１１（ａ）、図１２（ａ）に示した状態となり、ボタン６３，６５が突出して施錠が完了する。
【００４５】
また、施錠状態において、屋外側からシリンダー錠が合鍵によって操作されると、錠箱１の入出力軸が回転し、その回転に連動してコア軸３５が回転される。コア軸３５が回転されると、突起板３９が傾き、これにより図１０（ａ）から図１０（ｂ）に示すように、挟持板７３ａ，７３ｂ，７５ａ，７５ｂが開脚する。挟持板７３ａ，７３ｂ，７５ａ，７５ｂが開脚されると、解除交差部材６７，６９の離間片６７ｃ，６９ｃが開かれ、その結果、解除交差部材６７，６９のストッパー挟持片６７ｂ，６９ｂが図１１（ｂ）に示すように、一対のストッパー４９，５１を挟持する方向に挟み込み、係合溝５５から抜脱される方向へストッパー４９，５１を移動させる。
【００４６】
これにより、施錠状態においても、シリンダー錠の操作によって、ストッパー４９，５１の規制が解除され、摘み４１が回転されることになる。
【００４７】
さらに、例えば挿入された針金や棒等によって、摘み４１がボタン６３，６５の押し込みより先に回されると、ストッパー退避凹部３８ａが、図１３（ａ）に示した状態から図１３（ｂ）に示した状態へと、ストッパー４９，５１から位置ずれし、ストッパー４９，５１がストッパー退避凹部３８ａに退避できなくなり、ストッパー４９，５１の解除が不能となる。この場合、ボタン６３，６５は、摺動不能となったストッパー４９，５１によって押し込み不能となる。
【００４８】
ここで、通常操作時には、ボタン６３，６５の押し込みが容易となるように、ストッパー４９，５１がストッパー退避凹部３８ａへ進入可能に、摘み４１の位置が水平保持されることが好ましい。このような水平保持機構は、サムターン筒４３と摘み杆３８とにクリック機構を設けることで実現できる。すなわち、図１３に示すように、サムターン筒４３と摘み杆３８とは、所定の遊び角αを有して相対回転可能とする。この遊び角αは、サムターン筒４３と摘み杆３８との干渉部８１，８３によって形成される間隙８５によって設定することができる。そして、サムターン筒４３側の干渉部８１に付勢バネ８７によって半径方向外側へ付勢されるクリックボール８９を設け、摘み杆３８側の干渉部８３に、このクリックボール８９の当接する凹溝９１を形成する。これにより、摘み４１が水平保持され、ストッパー退避凹部３８ａへストッパー４９，５１が進入可能となって、通常操作時でのボタン６３，６５の押し込みを容易にすることができる。
【００４９】
なお、解錠状態において、屋外側からシリンダー錠を介して施錠状態とする場合は、ストッパー４９，５１が係合状態となっていないので、通常の施錠操作となる。また、挟持板７３ａ，７３ｂ，７５ａ，７５ｂは、傾斜した突起板３９によって開脚された後には、サムターン筒４３と共に回転されることになる。
【００５０】
この防犯サムターン１００によれば、ボタン６３，６５を押下しながらの回転力が摘み４１に加えられなければ、特に、一対の各ボタン６３，６５をそれぞれ押下した状態で摘み、回転を行わなければ、摘み４１による解錠操作が行えず、これにより、挿入した針金や棒等を摘みに引っ掛ける等して、摘み４１を回転することによる不正解錠が阻止される。また、一般的なサムターンと同様に、摘み４１を摘んで回動操作が行え、施錠時にはボタン操作に関わらず施錠が行えるとともに、屋外からのシリンダー錠による合鍵操作時にはストッパー４９，５１が自動解除されて摘み４１が回転されるので、良好な操作性が確保される。さらに、防犯カバー等が被せられる構成と異なり、摘み４１の垂直・水平姿勢がねじカバー兼回転方向視認手段５４によって視認可能となるので、一般的なサムターンと同様に、室内側からの施解錠状態が容易に確認できるようになる。
【００５１】
これに加え、解錠方向のモーメント１０１と逆方向の押下力１０３が必要となるように、ボタン６３，６５の押圧突起６８，６８が偏芯して配置したので、ボタン６３，６５を押し込むと同時に、摘み４１に回動力を加え、内部機構の遊びなどで、ボタン６３，６５を押下状態のままとして、摘み４１に回転力を加えることで、摘み４１を解錠操作する不正行為を阻止することができる。
【００５２】
そして、摘み４１の回転中心１１１を挟んで一対のボタン６３，６５を設けたので、解錠方向のモーメント１０１と逆方向の押下力１０３が必要となるボタン６３，６５が２つとなり、ボタン６３，６５を押下状態に保持することがさらに困難となり、ボタン押下式防犯サムターン１００の防犯性を一層向上させることができる。さらに、一対のボタン６３，６５が同時に押下されることで、回転規制が解除されるようにしたので、解錠方向のモーメント１０１と逆方向の押下力１０３を同時に二方向から摘み４１に加えなければならなくなり、棒や針金などを用いたボタン６３，６５の不正押下を極めて困難にすることができる。
【００５３】
また、この防犯サムターン１００によれば、二対の挟持板７３ａ，７３ｂ，７５ａ，７５ｂで、コア軸３５の突起板３９を軸線直交方向の両側から挟持するので、コア軸３５の右回転、左回転の何れの回転でも等しいモーメントで挟持板３９を開脚でき、シリンダー錠の左右勝手に関わらずスムースな合鍵操作を可能にすることができる。
【００５４】
さらに、この防犯サムターン１００によれば、摘み４１がボタン６３，６５の押し込みより先に回されると、ストッパー退避凹部３８ａがストッパー４９，５１から位置ずれし、ストッパー４９，５１の解除が不能となるので、挿入した針金や棒等を摘みに引っ掛ける等した、サムターン摘み４１の回転が一層行い難くなり、防犯性をさらに向上させることができる。
【００５５】
なお、上述した実施の形態では、摘み４１の形状を略板状に形成した例について述べたが、これに限ることはなく、楕円状に中途部分が膨出形状とされている形状としてもよく、あるいは錐状や角柱状などの形状としてもよい。
【図面の簡単な説明】
【００５６】
【図１】錠箱に取り付けられた本発明に係る防犯サムターンの斜視図である。
【図２】本発明に係る防犯サムターンの縦断面図である。
【図３】本発明に係る防犯サムターンの水平断面図である。
【図４】図２に示した防犯サムターンの分解図である。
【図５】図３に示した摘みの正面図である。
【図６】図５に示した摘みの分解斜視図である。
【図７】図６に示した摘みのボタンユニットをさらに分解した斜視図である。
【図８】摘みの解錠操作時における動作説明図である。
【図９】図８に示した摘みと左右勝手が逆の摘みの解錠操作時における動作説明図である。
【図１０】図２のＡ−Ａ断面における施錠状態を（ａ）、シリンダー錠回転状態を（ｂ）に表した動作説明図である。
【図１１】図２のＢ−Ｂ断面における施錠状態を（ａ）、シリンダー錠回転状態を（ｂ）に表した動作説明図である。
【図１２】図２のＢ−Ｂ断面における施錠状態を（ａ）、ボタン押し込み状態を（ｂ）に表した動作説明図である。
【図１３】図２のＣ−Ｃ断面における施錠状態を（ａ）、ボタンを押し込まずに摘みを回転させた状態を（ｂ）に表した動作説明図である。
【符号の説明】
【００５７】
４１…摘み
６３，６５…ボタン
６４…押下突起
１００…防犯サムターン
１０１…解錠方向のモーメント
１０３…押下力
１１１…回動中心
【図１】
2006144486.tif 000003
【図２】
2006144486.tif 000004
【図３】
2006144486.tif 000005
【図４】
2006144486.tif 000006
【図５】
2006144486.tif 000007
【図６】
2006144486.tif 000008
【図７】
2006144486.tif 000009
【図８】
2006144486.tif 000010
【図９】
2006144486.tif 000011
【図１０】
2006144486.tif 000012
【図１１】
2006144486.tif 000013
【図１２】
2006144486.tif 000014
【図１３】
2006144486.tif 000015